(57)【要約】  アプリケータ・ツールにおける外科手術結節要素の取り付け装置を示す。装置の１実施例は、連結具を含むアプリケータ・ツールを受け取るために採寸されたチャネルを含む。外科手術結節要素は、アプリケータ・ツールと縫合糸経路の連結具への、連結具補足を含む。キャリッジは外科手術の結節要素を受け取る。キャリッジは、結節要素が前記チャネルとずれている第１位置と、連結具が互いに係合している第２位置の間でチャネルに対して、横方向に移動可能である。縫合糸を外科手術結節要素に通すための装置である。一実施形態では、装置は内部管状部材、外部管状部材、及び非線形縫合糸経路を備えた結節要素を含む。可撓性縫合糸誘導装置が近位部分、縫合糸経路の外部に位置するフレア・ループを含む遠位部分、及び近位部分と遠位部分の間に介在する中間部分を有し、中間部分は縫合糸経路に事前に装填される。
2010525895.tif 000002
【特許請求の範囲】
【請求項１】
ａ）連結具を含むアプリケータ・ツールを受け取るために採寸されたチャネルと、
ｂ）前記アプリケータ・ツールの連結具と補完的である連結具を含む、外科手術の結節要素であって、縫合糸経路を更に含む外科手術の結節要素と、
ｃ）前記外科手術の結節要素を受け取るキャリッジであって、前記結節要素が前記チャネルとずれている第１位置と、前記連結具が互いに係合している第２位置の間で前記チャネルに対して、横方向に移動可能なキャリッジと、
を含む、アプリケータ・ツールに、外科手術の結節要素を装填するための装置。
【請求項２】
前記縫合糸経路に設置された可撓性縫合糸誘導装置を更に含む、請求項１に記載の装置。
【請求項３】
前記可撓性縫合糸誘導装置が硬く細長いロッドを更に含む、請求項２に記載の装置。
【請求項４】
アプリケータ・ツールによって横方向に受け取られるように前記硬く細長いロッドが採寸され、前記装置は、前記硬く細長いロッドを受け取れるように採寸された、前記チャネルを横切るスロットを更に含む、請求項３に記載の装置。
【請求項５】
請求項１に記載の装置、及びアプリケータ・ツールを含む、外科手術用キット。
【請求項６】
前記結節要素を受け取るキャリッジにおける弾性チューブを更に含む、請求項１に記載の装置。
【発明の詳細な説明】
【開示の内容】
【０００１】
〔背景技術〕
次の情報公開は、内視鏡外科技術及び装置に関連する一実施例を含む外科手術に関係している。外科手術とは通常、外傷、変形、又は疾病の診断書及び治療を示している。多種多様な外科技術が開発されている。外科手術の１つの種類として、低侵襲手術というものがあるが、これは通常、皮膚、体腔及び解剖の開口部を通じて身体に入る工程を伴い、一方で組織への損傷を最小限にする。最小限侵襲医療手技は通常、開口外科手術に比べて、患者に対する手術の外傷をより小さく抑えることができる。最小限侵襲外科手術の手順も、一般的に、費用の低額化、入院時間の短縮、疼痛や瘢痕の軽減、及び手術による外傷に関連した合併症発生率の軽減を図り、つまり、回復を早めることができる。
【０００２】
最小限侵襲外科手術の間に内視鏡が頻繁に使用され、身体内部の器官及び組織の視覚化が行われる。内視鏡は通常、光線送り出しシステムを使用して視診下の組織を照明する。光源は通常体外に存在し、光ファイバー・システムを経由して光線が送られる。通常レンズ・システムを通して画像を取り込み、モニターに送信する。いくつかの内視鏡は、医療機器を身体に導入して、バイオプシー及び手術を実施するためのワーキング・チャネルを含む。ワーキング・チャネルは、内視鏡とは独立している場合もある。内視鏡は、剛性及び可撓性の場合がある。可撓性の内視鏡の中には、身体にて内視鏡の位置調整を容易化できるように操縦可能であるものが存在する。
【０００３】
外科手術において縫合は多くの場合、皮膚、内部臓器、血管、及びその他の身体の組織の保持に使用される。縫合は通常細長い可撓性のフィラメントであるが、線維、ライン、ワイヤーなどを、制限を受けることなく含み、異なった糸及び糸状構造として多様体を有する場合がある。縫合は均質の場合と異種の場合があり、２本以上のツイスト・フィラメント若しくはフィラメント織物のように、単一フィラメント又は複合縫合を含む場合もある。更に縫合糸は、当技術分野にて既知の、多様な吸収性原料（即ち、身体で代謝される）、又は非吸収性物質原料でできている場合がある。
【０００４】
縫合糸を組織に送達して取り付けるために、多様な技術及び装置が開発されてきた。いくつかの技術は、針による組織の貫通、結索若しくはループの結合又は形成、可撓性アンカー及び剛性アンカーのようなｔ−タグ、ｘ−タグ及びその他の可撓性又は剛性のアンカーの提供を含む。その他の縫合技術は、組織の周辺でのループの作製を含む。縫合糸は多くの場合、固定する必要がある。最小限侵襲外科手術には多くの場合、時間及び空間的制約があるので、従来の結節は非実用的であり、機械的な結節要素が多くの場合に使用される。結節要素の糸通し、装填、及び配置に関係のある新しい装置と方法をここに開示する。
【図面の簡単な説明】
【０００５】
明細は、発明の特定の指摘と明確な請求により締結されているが、発明のいくつかの非限定的な実施例を例証している添付図面に関して提示された次の説明から、発明が一層よく理解され得るものと考えられる。他に指定がない限り、同様の参照数字は同じ要素を示す。
【図１】結節要素ローダーの等角図。
【図２】結節要素ローダーの側面図を表したものであるが、ハウジングの半分が削除されて、内部構成要素を図示。
【図３】結節要素ローダーの側面図を表したものであるが、ハウジングの半分が削除されて、アプリケータに糸通し器が備えられている。
【図４】アンカー・ローダーの側面図を表したものであるが、ハウジングの半分が削除されて、ローダーにアプリケータが挿入されている。
【図５】アプリケータ、結節要素、及び糸通し機の横断面の側面図。
【図６】アプリケータと結節要素の横断面の平面図。
【発明を実施するための形態】
【０００６】
図１〜４は、ローダー（１０）の実施例を示している。ローダー（１０）は、アプリケータ（３０）への結節要素（４０）の装填の促進に使用される。アプリケータ（３０）は、手術中に望ましい箇所に結節要素（４０）を導出するために使用される。本実施形態では、アプリケータ（３０）は可撓性内視鏡のワーキング・チャネルにて使用するために設計された可撓性内視鏡ツールであるが、剛性及び連結式アプリケータなど、他の種類の外科手術のアプリケータもまた考えられている。
【０００７】
ローダー（１０）は、ハウジング（１２）、キャリッジ（２０）、及び糸通し器（５０）を含む。キャリッジ（２０）は、ハウジング（１２）に対して、垂直方向に移動する。図１〜２に示すように、キャリッジ（２０）は、好ましくは結節要素（４０）と事前に組み込み済であり、糸通し器（５０）は結節要素（４０）に事前に組み込まれている。キャリッジ（２０）は、キャリッジ（２０）にて結節要素（４０）を摩擦で保持するために、弾力のある締まりばめを提供するシリコーン細管の長さを含む。ハウジング（１２）は、アプリケータ（３０）を受け取るために採寸された水平経路（１６）に開口するポート（１４）を含む。横方向スロット（１８）はチャネル（１６）を二分する。オプションとしてハウジング（１２）は、チャネル（１６）及びスロット（１８）中の対象を視覚化するため透明であってよい。
【０００８】
図５〜６は、アプリケータ（３０）に装填された、結節要素（４０）の実施例を例示している。アプリケータ（３０）は、内視鏡のワーキング・チャネルに適合するように採寸された、可撓軸（３６）に接続されたハウジング（３４）を含む。ワイヤー（３１）は、アクチュエータ（図示なし）及び連結具（３５）に接続されている。ワイヤー（３１）を押し引くことにより、連結具（３５）は、これは連結具（３５）が遠位端（３２）を超えて伸張する遠位と、カッティングエッジ（３８）がポート（３７）を越えて伸張する近位の間で、ハウジング（３５）に対し、軸方向に滑動する。ハウジング（３４）上のポート（３７）は、周囲に連結具（３５）と提携している。連結具（３５）のピン（３３）は、ハウジング（３４）にて、長手方向スロットを移動するので、連結具（３５）とハウジング（３４）の相対角度方向を維持している。
【０００９】
結節要素（４０）は、補足的連結具（３５、４５）の接続により、アプリケータ（３０）に取り付けられている。この実施形態にて、２つの動作がアプリケータ（３０）への結節要素（４０）の接続に使用できる。第１に、連結具（３５、４５）は、その遠位にある場合に、連結具（４５）を連結具（３５）内に横方向に移動させて、係合される。結節要素（４０）は、この最初の動作の間にアプリケータ（３０）と平行の状態を維持し得る。第２に、係合した連結具（３５、４５）は、これらがハウジング（３４）へ引き寄せられるように、近位に並進する。ハウジング（３４）は、連結具（３５、４５）が横に移動しないようにして、それによりアプリケータ（３０）上に結節要素（４０）を確保する。当然、前述の連結構成は単に例示的であり、当業者は、他の様々な連結構成もまた使用され得ることを理解するだろう。
【００１０】
図２〜４は、ローダー（１０）の操作を実証している。最初に、図２に示されるように、アプリケータ（３０）が、ローダー（１０）の隣に配置される。結節要素（４０）は、チャネル（１６）と平行位置にてキャリッジ（２０）内に保持されるが、チャネル（１６）とずれている。次に、ロッド（５１）がポート（３７）を通過する。図４に示すように、アプリケータ（３０）は、好ましくは連結具（３５）と共に、ポート（１４）に導入されて、その遠位へと押される。ロッド（５１）は、スロット（１８）にて長手方向に滑動できるが、スロット（１８）は、ロッド（５１）が回転するのを防ぎ、したがって、連結具（３５、４５）間の適切な角度調整を促進する。アプリケータ（３０）は、これがストップ（２２）と接触するまで前進する。この実施形態では、ストップ（２２）とは連結具（３５）への挿入のために採寸された細い刃である。連結具（３５）がストップ（２２）と完全に係合すると、連結具（３５、４５）間で、角度及び軸の整合が達成される。ハウジング（１２）上の壁（１１）は、ユーザが連結具（３５、４５）を視覚化できるように、対照をなす背景を提供することで、整合を更に促進する。
【００１１】
キャリッジ（２０）は、連結具（４５）が連結具（４５）に係合するように設計されている場合と同じ、横方向の動作で、チャネル（１６）に対して移動する。したがって一度アプリケータ（３０）がローダー（１０）に挿入されて連結具（３５、４５）が調整されると、連結具（３５、４５）を係合させるために、キャリッジ（２０）が押圧され得る。次にワイヤー（３１）が引っ張られ、それによって連結具（３５、４５）がハウジング（３４）に並進し得る。次にアプリケータ（３０）は、チャネル（１６）から引き抜かれ得る。結節要素（４０）が、ここでアプリケータ（３０）に固定されているので、結節要素（４０）及び糸通し器（５０）は同様にキャリッジ（２０）から引き抜かれ、図５に示されるアセンブリとなる。
【００１２】
本実施形態の結節要素（４０）は、内部管状部材（４１）、連結具（４５）と内部管状部材（４１）の中間の茎部（４６）、及び茎部（４６）に関連して軸方向に滑動できる外部管状部材（４２）を含む。結節要素（４０）がアプリケータ（３０）に固定される場合、外部管状部材（４２）はハウジング（３４）の遠位端（３２）に係合する。非線形の縫合糸経路は、内部管状部材（４１）の長手方向の穴（４４）、及び側部ポート（４７）により定義される。当業者は、ここに示す実施例が適切な結節要素の単なる一例であり、ここでの教示が、クリップ、スプール、自動ロックの歯状要素などを、非制限的に含む、結節要素の他の設計や種類に等しく適用され得ることを認識するであろう。
【００１３】
糸通し器（５０）は、結節要素（４０）及びアプリケータ（３０）の意図される経路に縫合糸を送達するために使用される、可撓性誘導装置である。この実施形態では、糸通し器（５０）は、細長く比較的硬いロッド（５１）としてここに示される近位部分を含む。ロッド（５１）に接続されたワイヤーは、縫合糸経路を通じて延びる、中間部分（５２）を生成する。遠位部分は、長手方向の穴（４４）から遠位に延び、フレア・ループ部分（５３）及び狭域部分（５４）を含む。ここに示すように、中間部分及び遠位部分はワイヤーの単一ループで形成されている。したがって、この実施例の中間部分（５２）はであり、２本の隣接及び並列ワイヤーを含む。当然他の実施例も考えられる。
【００１４】
図５に示されるように、糸通し器（５０）は、結節要素（４０）及びアプリケータ（３０）用の、望ましい縫合糸経路に事前に組み込まれている。使用中、１つ以上の縫合糸のストランドがフレア・ループ部分（５３）を通過する。ロッド（５１）は次に近位に引っ張られて、ワイヤーがこれに続く。糸通し器（５０）を継続して引っ張ると、ワイヤーを縫合糸経路及びポート（３７）を完全に通過させて引っ張ることになる。フレア・ループ部分を通過した縫合糸は、遠位端（５５）に移動して、縫合糸経路及びポート（３７）を通じて同様に引っ張られる。その結果、縫合糸は結節要素（４０）及びアプリケータ（３０）を正常に通過し、一方の端部がポート（３７）から近位に延び、他方の端部が、長手方向の穴（４４）から遠位に延びる。糸通し器（５０）は、独立型装置でってもよく、又は、例えば、結節要素に事前に装填される、ローダーに事前に装填される、又はアプリケータに事前に装填されるなど、その他の装置と統合されていてもよい。
【００１５】
結節要素（４０）は外科手術の配備用にこれで準備完了である。結節要素(40)に係合して糸が通されたアプリケータ（３０）が手術部位に送達され、この実施形態においてこれは、典型的には、内視鏡のワーキング・チャネルを通じて装置を推進する工程を含む。ポート（３７）から近位に延びる端部を引くことによって縫合糸を必要分に張った後、ワイヤー（３１）が引っ張られ、連結具（３４，３５）を、ハウジング（３４）に対し、近位に並進させ得る。茎部（４６）及び内部管状部材（４１）はまた近位に並進するが、外部管状部材（４２）は、遠位端（３２）に係合し、外部管状部材（４２）が茎部（４６）に対して遠位に並進させる。ワイヤー（３１）を張り続けると、内部管状部材と外部管状部材（４１、４２）が同延性を有し、その間で縫合糸がけん縮するまで、ポート（４７）上の外部管状部材（４２）と内部管状部材（４１）を押し付ける。応力集中戻り止め（４３）により、内部管状部材（４１）と茎部（４６）の間の接続が結果的に脆弱になってしまうので、ワイヤー（３１）を更に張ることにより、同延性を有する内部管状部材及び外部管状部材（４１、４２）を茎部（４６）から分離させてしまう。なお更にワイヤー（３１）を張ることで切断面（３８）を並進させ、ポート（３７）を通過する縫合糸と係合し、したがって縫合糸を剪断する。アプリケータ（３０）、連結具（４５）、及び茎部（４６）は次に、手術部位から回収し、縫合糸は内部と外部管状部位（４１、４２）の間で確実に締着されたままであり得る。
【００１６】
好ましくは１つ以上の前述の装置を外科手術前に処置しておく。第１に、新規及び使用済の装置を取得して、必要に応じて洗浄する。装置は次に殺菌しておく。ある殺菌技術において、装置はプラスチック、又はタイベック（TYVEK）の袋などの、閉じられ、密封された容器内に配置される。任意により、それぞれ事前に装填された結節要素（４０）、及び糸通し器（５０）を備える、アプリケータ（３０）と１つ又はそれ以上のローダー（１０）、が、キットとしてまとめられ、同じ容器内に密封されもよい。容器は、ガンマ線、Ｘ線又は高速電子線などの、容器を貫通しうる放射線の領域に配置する。放射は、装置及び容器中の細菌を殺す。殺菌済の装置は、次に滅菌容器に格納できる。医療施設で開封するまで、密封された容器は装置を無菌状態に維持する。
【００１７】
多様な実施形態及び実施例を示し、記載してきたが、本明細書において記載される方法及び器具の更なる適用が、当業者による適切な修正により、本発明の範囲から逸脱することなく、達成され得る。このような可能な修正のうちのいくつかを記述したが、その他は当業者にとって明白である。したがって、現在の発明の範囲は以下の特許請求の範囲の観点から考慮され、明細書及び図面において、図示又は記載される、構造、材料、及び機能の詳細に限定されないものと理解されるべきである。
【００１８】
〔実施態様〕
（１）  ａ）連結具を含むアプリケータ・ツールを受け取るために採寸されたチャネルと、
ｂ）前記アプリケータ・ツールの連結具と補完的である連結具を含む、外科手術の結節要素であって、縫合糸経路を更に含む外科手術の結節要素と、
ｃ）前記外科手術の結節要素を受け取るキャリッジであって、前記結節要素が前記チャネルとずれている第１位置と、前記連結具が互いに係合している第２位置の間で前記チャネルに対して、横方向に移動可能なキャリッジと、
を含む、アプリケータ・ツールに、外科手術の結節要素を装填するための装置。
（２）  前記縫合糸経路に設置された可撓性縫合糸誘導装置を更に含む、実施態様１に記載の装置。
（３）  前記可撓性縫合糸誘導装置が硬く細長いロッドを更に含む、実施態様２に記載の装置。
（４）  アプリケータ・ツールによって横方向に受け取られるように前記硬く細長いロッドが採寸され、前記装置は、前記硬く細長いロッドを受け取れるように採寸された、前記チャネルを横切るスロットを更に含む、実施態様３に記載の装置。
（５）  実施態様１に記載の装置、及びアプリケータ・ツールを含む、外科手術用キット。
（６）  ａ）実施態様１に記載される装置の取得と、
ｂ）前記装置の殺菌と、
ｃ）殺菌容器への前記装置の保管と、
を含む、外科手術用装置の処理方法。
（７）  前記結節要素を受け取るキャリッジにおける弾性チューブを更に含む、実施態様１に記載の装置。
（８）  ａ）連結具を含む可撓性内視鏡アプリケータの受け取り用に採寸された、長手方向チャネルへのポート開口部を含むハウジングと、
ｂ）前記長手方向チャネルに対する横方向において、前記ハウジングに対して移動可能なキャリッジと、
ｃ）可撓性内視鏡アプリケータの前記連結具に係合するように採寸された連結具を含む、前記キャリッジ上の結節要素と、
を含む、外科用器具の装填用の装置。
（９）  前記結節要素内に設置された可撓性縫合糸通し機を更に含む、実施態様８に記載の装置。
（１０）  前記結節要素の前記連結具と、アプリケータの前記連結具を位置合わせする手段を更に含む、実施態様８に記載の装置。
（１１）  実施態様８に記載の装置、及び可撓性内視鏡アプリケータを含む、外科手術キット。
（１２）  ａ）実施態様８に記載の装置の取得と、
ｂ）前記装置の殺菌と、
ｃ）殺菌容器への前記装置の保管と、
を含む、外科手術用装置の処理方法。
（１３）  ａ）移動可能なキャリッジと、
ｂ）アプリケータの補完的な連結具に係合するために適応させた連結具を含む、前記キャリッジにおける結節要素と、
ｃ）前記結節要素の前記連結具と、アプリケータの前記連結具を位置合わせする手段と、
を含む、縫合糸用の結節要素を、アプリケータに装填するための装置。
（１４）  前記結節要素内の、縫合糸を通すための手段を更に含む、実施態様１３に記載の装置。
（１５）  実施態様１３に記載の装置、及び可撓性内視鏡アプリケータを含む、外科手術キット。
（１６）  ａ）実施態様１３に記載する装置の取得と、
ｂ）前記装置の殺菌と、
ｃ）殺菌容器への前記装置の保管と、
を含む、外科手術用装置の処理方法。
（１７）  ａ）縫合糸経路を備えた結節要素と、
ｂ）前記縫合糸経路に事前に装填された縫合糸通し機と、
を含む、外科手術キット。
（１８）  前記結節要素が内部管状部材及び外部管状部材を含む、実施態様１７に記載の外科手術キット。
（１９）  前記結節要素が連結具、及び前記連結具と内部管状部材の間に介在する茎部を更に含み、前記茎部及び内部管状部材上で前記外部管状部材が軸方向に滑動可能である、実施態様１８に記載の外科手術キット。
（２０）  前記結節要素のための可撓性内視鏡アプリケータを更に含む、実施態様１７に記載の外科手術キット。
（２１）  前記結節要素を受け取るキャリッジを含むローダーを更に含む、実施態様２０に記載の外科手術キット。
（２２）  ａ）実施態様２１に記載の外科手術キットの取得と、
ｂ）前記外科手術キットの殺菌と、
ｃ）殺菌容器への前記外科手術キットの保管と、
を含む、外科手術用装置の処理方法。
（２３）  前記縫合糸通し器が、剛性近位部分、ループを含む可撓性遠位部分、及び、前記近位部分と遠位部分の間に介在する可撓性中間部分を含む、実施態様１７に記載の外科手術キット。
（２４）  前記縫合糸通し機が、細長いロッド、及び前記ロッド末端に接続された可撓性ワイヤーを含む、実施態様１７に記載の外科手術キット。
（２５）  前記ワイヤーがループ状に成型されている、実施態様２４に記載の外科手術キット。
（２６）  前記縫合糸経路が非線形である、実施態様１７に記載の外科手術キット。
（２７）  ａ）内部管状部材、外部管状部材、及び非線形の縫合糸経路を含む結節要素と、
ｂ）近位部分、前記縫合糸経路の外部に位置するフレア・ループを含む遠位部分、及び前記近位部分と遠位部分の間に介在する中間部分を有し、前記中間部分が前記縫合糸経路に事前に装填されている、可撓性縫合糸誘導装置と、
を含む、外科手術の結節要素への縫合糸通しのための装置。
（２８）  前記縫合糸誘導装置の前記近位部分がロッドを含む、実施態様２７に記載の装置。
（２９）  前記中間部分と遠位部分が、前記ロッドの末端に接続されたワイヤーループを含む、実施態様２８に記載の装置。
（３０）  前記結節要素を受け取るキャリッジを含むローダーを更に含む、実施態様２７に記載の装置。
（３１）  前記非線形の縫合糸経路が前記内部管状部材の穴、及び側部ポートにより画定される、実施態様２７に記載の装置。
（３２）  ａ）実施態様３１に記載の外科手術キットの取得と、
ｂ）前記外科手術キットの殺菌と、
ｃ）殺菌容器への前記外科手術キットの保管と、
を含む、外科手術用装置の処理方法。
（３３）  ａ）穴を有する内部管状部材、前記内部管状部材上を滑動可能である外部管状部材、並びに前記穴及び側部ポートにより画定される非線形縫合糸経路を含む結節要素と、
ｂ）細長いロッド、及び前記ロッドの末端に接続されたループとして形成されたワイヤーを有する可撓性縫合糸誘導装置であって、前記ワイヤーは、前記縫合糸経路の外側に位置するフレア・ループ、及び、前記近位部分と遠位部分の間に介在する中間部分を含み、前記中間部分は前記縫合糸経路に事前に装填されている、可撓性縫合糸誘導装置と、
を含む、外科手術キット。
（３４）  前記結節要素を受け取るキャリッジを備えたローダーを更に含む、実施態様３３に記載の外科手術キット。
（３５）  可撓性内視鏡アプリケータ・ツールを更に含む、実施態様３４に記載の外科手術キット。
（３６）  ａ）実施態様３５に記載の外科手術キットの取得と、
ｂ）前記外科手術キットの殺菌と、
ｃ）殺菌容器への前記外科手術キットの保管と、
を含む、外科手術用装置の処理方法。
【図１】
2010525895.tif 000003
【図２】
2010525895.tif 000004
【図３】
2010525895.tif 000005
【図４】
2010525895.tif 000006
【図５】
2010525895.tif 000007
【図６】
2010525895.tif 000008
【国際調査報告】
2010525895.tif 000009
2010525895.tif 000010
2010525895.tif 000011
2010525895.tif 000012